(57)【要約】【課題】一度短絡されたショートランドを開放する際に、相面したランドの端部に半田のヒゲが残り、完全に開放できず、短絡されたままになってしまう。【解決手段】第１のランド部２と、第１のランド部２に対して所定幅の間隔をおいて配置される第２のランド部３とから構成され、第１のランド部２および第２のランド部３は、互いに相面した端部の少なくとも一方における間隔が、所定幅以上の間隔となるような形状とすることにより、ショートランドを開放する際に残った半田のヒゲがショートしにくくなり、より正確にショートランドを開放できる。【選択図】図１
2005244054.tif 000002
【特許請求の範囲】
【請求項１】
必要に応じて導電材で短絡または開放することを目的としてプリント基板上に形成されるショートランドであって、第１のランド部と、前記第１のランド部に対して所定幅の間隔をおいて配置される第２のランド部とから構成され、前記第１のランド部および前記第２のランド部は、互いに相面した端部の少なくとも一方における間隔が、前記所定幅以上の間隔となるような形状であることを特徴としたショートランド。
【請求項２】
前記所定幅以上の間隔となるような形状である前記端部が、Rを持たせた形状であることを特徴とする請求項１記載のショートランド。
【発明の詳細な説明】
【技術分野】
【０００１】
本発明は、特にプリント基板上の導電路の一部を短絡し又は開放するためのショートランドに関するものである。
【背景技術】
【０００２】
従来のショートランドは、一般に図３に示すような構造を有していた。図３を参照して、従来のショートランドについて説明する。図３において、ショートランド９は導電性の配線パターンの一部に、半円形状の第１のランド部１０および同じく半円形状の第２のランド部１１を設けることによって構成され、各ランド部は互いに直線の辺を相面して０．１５ｍｍの間隔を置いて配置される。互いの間隔の幅は、ここでは０．１５ｍｍとしているが、半田により短絡又は開放できる幅であればよく、これにより必要に応じてショートランド９を短絡又は開放することができる。
【０００３】
なお、本発明に関する先行技術情報としては、例えば特許文献１が知られている。
【特許文献１】特開平７−１５４０３７号公報
【発明の開示】
【発明が解決しようとする課題】
【０００４】
しかしながら、前記従来の構成では、一度短絡されたショートランドを開放する際に、相面したランドの端部に図３のように半田のヒゲ１２が残り、完全に開放できず、短絡されたままになってしまうことがあるという課題を有していた。
【０００５】
本発明は、前記従来の課題を解決するもので、プリント基板上のショートランドの短絡又は開放作業を確実に行うことのできるショートランドを提供することを目的とする。
【課題を解決するための手段】
【０００６】
前記従来の課題を解決するために、本発明のショートランドは、必要に応じて導電材で短絡または開放することを目的としてプリント基板上に形成されるショートランドであって、第１のランド部と、前記第１のランド部に対して所定幅の間隔をおいて配置される第２のランド部とから構成され、前記第１のランド部および前記第２のランド部は、互いに相面した端部の少なくとも一方における間隔が、前記所定幅以上の間隔となるような形状である。
【０００７】
この構成により、ショートランドを開放する際に残った半田のヒゲがショートしにくくなり、より正確にショートランドを開放できるという作用効果が得られる。
【０００８】
また、前記所定幅以上の間隔となるような形状である前記端部が、Rを持たせた形状である。
【０００９】
この構成により、ショートランドを開放する際に半田のヒゲが残りにくくなり、より正確にショートランドを開放できるという作用効果が得られる。
【発明の効果】
【００１０】
本発明のショートランドによれば、２つのランド部の、互いに相面した端部の少なくとも一方における間隔が、前記所定幅以上の間隔となるような形状を有しているので、半田のヒゲがショートしにくくなり、より正確にショートランドを開放することができる。
【発明を実施するための最良の形態】
【００１１】
以下、本発明の実施の形態のショートランドについて、図面を用いて説明する。
【００１２】
（実施の形態１）
本発明の実施の形態１におけるショートランド構造を図１に示す。
【００１３】
図１において、ショートランド１は導電性の配線パターンの一部に、第１のランド部２および第２のランド部３を設けることによって構成され、各ランド部は互いに０．４ｍｍの直線の辺を相面して０．１５ｍｍの間隔を置いて配置されている。この第１のランド部２と第２のランド部３の互いに相面した端部はいずれも、図中点線で示した半円形状をもとに、そこから半径０．３ｍｍの曲率により切り取られた形状である。第１のランド部２および第２のランド部３の互いに相面した端部の一方４の間隔は０．３ｍｍである。
【００１４】
以上のように構成されたショートランドについて、互いに相面した端部の一方４が通常短絡または開放され得る間隔である０．１５ｍｍ以上の間隔であるため、端部に残ったヒゲがショートしにくくなり、より正確にショートランドの半田ショートを開放することができる。
【００１５】
また、端部がＲの形状を有しているため、ランド部に鋭角な端点がない。半田ごてが移動する方向に鋭角な端点があると、その端点に半田ごてが最後まで当たることになる。また鋭角な端点の周辺のランド表面積は狭いため、端点周辺の半田は早く冷え固まりやすい。これらより、最後まで半田ごてで溶かされた端点の半田が、周辺のランドにある半田が冷え固まることにより孤立し、結果端点に半田ヒゲとして残りやすくなる。端部をＲの形状にすることで、半田ヒゲの残りやすい鋭角な端点が無くなるため、端部にヒゲが残りにくくなり、より正確にショートランドの半田ショートを開放することができる。
【００１６】
なお、以上の説明では、各ランド部の互いに相面する幅を０．１５ｍｍとしたが、半田により短絡又は開放できる幅であればよい。
【００１７】
また、互いの端部の間隔を０．３ｍｍとしたが、上記各ランド部の互いに相面する幅以上の間隔であれば他の幅でもよい。
また、各ランド部の端部の形状をRとしたが、上記各ランド部の互いに相面する幅以上の間隔となる形状であれば他の形状であってもよい。
また、上記Rの形状の半径を０．３mmとしたが、これに限定されるものではなく、正確にショートランドを短絡・開放できればよい。
また、各ランド部を半円形状としたが、正確にショートランドを短絡又は開放できれば、他の形状であってもよい。
【００１８】
また、図１を用いて、各ランド部の幅に対して、互いに相面した端部両方の幅の方が広い場合の説明を行ったが、図２のように一方の端部だけが各ランド部の幅以上の間隔である場合も、同様に本発明が適用可能である。但し、これについては、開放作業工程において、半田ごてを動かす方向が一方向しかあり得ない場合、もしくは基板上に半田ごてを動かすべき方向を示すマークなどを付しておき、それに対して適当な向きにショートランドが配置される場合に限られる。すなわち図２において、矢印で示した開放方向にのみ開放作業を行う場合においては、一方の端部だけが各ランド部の幅以上であれば良い。
【産業上の利用可能性】
【００１９】
以上のように、本発明にかかるショートランドは、ランド部の少なくとも一方の端部にRを持たせた形状を有しているので、より正確にショートランドを開放することができるという効果を有し、プリント基板上の導電路の一部を短絡し又は開放するためのショートランド等として有用である。
【図面の簡単な説明】
【００２０】
【図１】本発明の一実施形態に係るショートランド１の平面図
【図２】本発明の一実施形態に係るショートランド５の平面図
【図３】従来のショートランドの平面図
【符号の説明】
【００２１】
１    本発明の一実施形態に係るショートランド
２    端部がRの形状を有している第１のランド部
３    端部がRの形状を有している第２のランド部
４    第１のランド部および第２のランド部の互いに相面した端部の一方
５    本発明の一実施形態に係るショートランド
６    端部の一方のみの間隔が広い第１のランド部
７    端部の一方のみの間隔が広い第２のランド部
８    第１のランド部および第２のランド部の互いに相面した端部の一方
９    従来のショートランド
１０    第１のランド部
１１    第２のランド部
１２    開放時に残った半田のヒゲ
【図１】
2005244054.tif 000003
【図２】
2005244054.tif 000004
【図３】
2005244054.tif 000005